(57)【特許請求の範囲】
【請求項１】
天井面に敷設されたレールと、該レールに案内される走行体を介して支持するようにしたパネルとからなる可動式の間仕切体において、前記パネルを、一端側を枢軸を介して揺動可能に配設した第一のパネルと、該第一のパネルの他端側に枢軸を介して揺動可能に配設した第二のパネルとから構成し、第一のパネルを第一の走行体により支持するとともに、該第一の走行体による支持部分が第一のパネルの上面長手方向に移動可能となるようにし、かつ、前記レールが、少なくとも、第一のパネルが閉鎖位置にあるときの第一の走行体の位置と、第一のパネルが開放位置にあるときの第一の走行体の位置とを結ぶ直線状の部分を備えることを特徴とする間仕切体。
【請求項２】
第二のパネルを第二の走行体により支持するようにしたことを特徴とする請求項１記載の可動式の間仕切体。
【請求項３】
前記レールを、主レールと副レールとに分岐させ、第二のパネルの第二の走行体を副レールに導く誘導機構を配設したことを特徴とする請求項２記載の可動式の間仕切体。
【発明の詳細な説明】
【技術分野】
【０００１】
本発明は、間仕切体に関し、特に、間仕切体を構成するパネルの開閉操作を円滑に行うことができるようにした可動式の間仕切体に関するものである。
【背景技術】
【０００２】
従来、可動式の間仕切体として、間仕切体を構成する複数のパネルを、パネル毎に移動させるように構成されたものが汎用されている。
例えば、室内空間を仕切る間仕切体の場合、天井面に敷設した直線状のレールに吊設されたパネルを必要に応じて移動して利用するようにしている。
【０００３】
また、２枚のパネルを枢軸を介して開閉する構造として、クローゼット等に用いられる開閉方式のものがある。
この方式は、閉鎖位置でのパネルに沿った直線状に敷設したレールと、一端側を枢軸を介して揺動可能に配設した第一のパネルと、この第一のパネルの他端側に枢軸を介して揺動可能に配設した第二のパネルと、前記レールに案内される走行体を第二のパネルの他端側の上面に配設し、第二パネルの移動に伴って両パネルが常にレールを底辺とする二等辺三角形を形成するように折れ曲がってパネルを開閉するようにしている（例えば、特許文献１参照）。
【特許文献１】特許第３７４２６２５号公報
【発明の開示】
【発明が解決しようとする課題】
【０００４】
ところで、前者の天井面に敷設した直線状のレールに吊設されたパネルを移動する方式の間仕切体の場合、間仕切体を開放できるようにしようとすると、間仕切体を構成するパネルを支持するレールの構造が複雑になるとともに、パネルの開閉操作を円滑に行うことができにくくなるという問題があった。
また、後者の２枚のパネルを枢軸を介して開閉するクローゼット等に用いられる開閉方式のものは、常にレールを底辺とする二等辺三角形を形成するように折れ曲がって開閉するものであるため、第二のパネルの幅を第一のパネル幅よりも短くすることができず、また、折れ曲がり部分は、何ら支持されていないため、第一のパネルの枢軸部分及び第二のパネルの走行体によってパネルの重量を支える必要があるため、たわみが発生しやすく、パネルの開閉操作を円滑に行いにくくなるという問題があった。
【０００５】
本発明は、上記従来の間仕切体の有する問題点に鑑み、間仕切体を構成するパネルの開閉操作を円滑に行うことができるとともに、パネルを支持するレールの構造を簡易に構成することができる可動式の間仕切体を提供することを目的とする。
【課題を解決するための手段】
【０００６】
上記目的を達成するため、本発明の間仕切体は、天井面に敷設されたレールと、該レールに案内される走行体を介して支持するようにしたパネルとからなる可動式の間仕切体において、前記パネルを、一端側を枢軸を介して揺動可能に配設した第一のパネルと、該第一のパネルの他端側に枢軸を介して揺動可能に配設した第二のパネルとから構成し、第一のパネルを第一の走行体により支持するとともに、該第一の走行体による支持部分が第一のパネルの上面長手方向に移動可能となるようにし、かつ、前記レールが、少なくとも、第一のパネルが閉鎖位置にあるときの第一の走行体の位置と、第一のパネルが開放位置にあるときの第一の走行体の位置とを結ぶ直線状の部分を備えることを特徴とする。
【０００７】
この場合において、第二のパネルを第二の走行体により支持することができる。
【０００８】
さらに、第二のパネルを第二の走行体により支持するようにした場合において、レールを、主レールと副レールとに分岐させ、第二のパネルの第二の走行体を副レールに導く誘導機構を配設することができる。
【発明の効果】
【０００９】
本発明の間仕切体によれば、パネルを、一端側を枢軸を介して揺動可能に配設した第一のパネルと、該第一のパネルの他端側に枢軸を介して揺動可能に配設した第二のパネルとから構成し、第一のパネルを第一の走行体により支持するとともに、該第一の走行体による支持部分が第一のパネルの上面長手方向に移動可能となるようにし、かつ、前記レールが、少なくとも、第一のパネルが閉鎖位置にあるときの第一の走行体の位置と、第一のパネルが開放位置にあるときの第一の走行体の位置とを結ぶ直線状の部分を備えることにより、第一のパネルを第一の走行体で支持することができ、パネルのたわみを抑制し、間仕切体を構成するパネルの開閉操作を円滑に行うことができる。
また、第一のパネルを支持する走行体の支持部分を、第一のパネルの上面長手方向に移動可能とすることにより、例えば、第二のパネルの幅を第一のパネル幅よりも短くした場合でも、間仕切体を開放でき、間仕切体を構成するパネルを支持するレールの構造が複雑にならず、これによっても、パネルの開閉操作を円滑に行うことができる。
【００１０】
また、第二のパネルを第二の走行体により支持することにより、第二のパネルがレールに案内、支持されることによって、第一のパネル及び第二のパネルをより安定して開閉することができるとともに、第二のパネルの重量を第二の走行体で支持することができる。
【００１１】
さらに、第二のパネルを第二の走行体により支持するようにした場合において、レールを、主レールと副レールとに分岐させ、第二のパネルの第二の走行体を副レールに導く誘導機構を配設することにより、第二のパネルを支持する走行体の支持部分が、第二のパネルの上面長手方向に移動する移動距離を短くすることができる。
また、開放位置において、第二のパネルを支持する走行体を第一のパネルと第二のパネルとを連結する枢軸から離れた場所で支持することができるため、第二のパネルがその重量によってたわむことを防止することができる。
【発明を実施するための最良の形態】
【００１２】
以下、本発明の間仕切体の実施の形態を、図面に基づいて説明する。
【実施例１】
【００１３】
図１〜図４に、本発明の間仕切体の第１実施例を示す。
【００１４】
この間仕切体１Ａは、天井面Ｃに敷設されたレール３と、このレール３に案内される走行体を介して支持するようにしたパネルとからなる。
そして、この間仕切体１Ａは、パネルを、一端側を枢軸６を介して揺動可能に配設した第一のパネル２Ａと、該第一のパネル２Ａの他端側に枢軸を介して揺動可能に配設した第二のパネル２Ｂとから構成し、第一のパネル２Ａを第一の走行体４Ａにより支持するとともに、該第一の走行体４Ａによる支持部分４２が第一のパネル２Ａの上面長手方向に移動可能となるようにし、かつ、前記レール３が、少なくとも、第一のパネル２Ａが閉鎖位置にあるときの第一の走行体４Ａの位置と、第一のパネル２Ａが開放位置にあるときの第一の走行体４Ａの位置とを結ぶ直線状の部分（以下、「斜めレール３１」という。）を備えるようにしている。
斜めレール３１は、間仕切体１Ａの閉鎖位置（間仕切体１Ａを閉鎖した場合の第一のパネル２Ａ及び第二のパネル２Ｂ）に対して平面視したとき所定の角度θ（この場合、角度θは、第一の走行体４Ａの配設位置、配設状態等に応じて、決定することができ、特に限定されるものではないが、本実施例の場合、約４５°）をもって設けるようにしている。
【００１５】
第一のパネル２Ａ及び第二のパネル２Ｂの構造や材質等は、特に限定されるものではなく、クローゼットに用いるパネルの様に板状の部材を用いることもできるが、本実施例においては、図１に示すように、上枠２０、下枠２１及び両竪枠２２、２２と、枠内に配設される扉や塞ぎ板（図示省略）とから構成されている例をもって説明する。
第一のパネル２Ａは、一端側の竪枠２２を枢軸６を介して揺動可能に壁面Ｗに取り付ける。
そして、第二のパネル２Ｂの一方の竪枠２２を、第一のパネル２Ａの他端側の竪枠２２に枢軸７を介して揺動可能に取り付けるようにしている。
【００１６】
走行体は、特に限定されるものではないが、本実施例においては、図２に示すように、案内溝３ａを形成するレール３の下面３ｂ、３ｂ上を摺動する球体状の走行部４１を多数配設した円盤状の本体部分４０と、第一のパネル２Ａを支持する支持部分４２とからなり、支持部分４２は、第一のパネル２Ａの上面と連結するための棒状の連結部４２ａと、該連結部４２ａが、第一のパネル２Ａの上面長手方向に移動可能となるように、第一のパネル２Ａの上面に配備した走行体用レール５内に位置する車輪等からなる移動部４２ｂとから構成されている。
【００１７】
走行体は、第一のパネル２Ａに配設するだけでも構わないが、本実施例においては、図１及び図３に示すように、第二のパネル２Ｂにも第二の走行体４Ｂを、第一の走行体４Ａと同様に、第二のパネル２Ｂの上面長手方向に移動可能となるように配設している。
これによって、間仕切体１Ａが開放位置へ移動するときに第二のパネル２Ｂの移動が安定するとともに、間仕切体１Ａを開放位置へ移動させたときに第二のパネル２Ｂを別途固定手段を用いて固定する必要がない点において好ましい。
【００１８】
レール３は、第二のパネル２Ｂの閉鎖位置（間仕切体１Ａを閉鎖した場合の第二のパネル２Ｂの位置）に沿って敷設した閉鎖部レール３０と、第一のパネル２Ａが閉鎖位置にあるときの第一の走行体４Ａの位置と、第一のパネル２Ａが開放位置にあるときの第一の走行体４Ａの位置とを結ぶ直線状に敷設した斜めレール３１とを、案内溝３ａが途切れることなく連続するように連結して構成するようにしている。
なお、走行体を第二のパネル２Ｂに配設しない場合には、閉鎖部レール３０を省略し、斜めレール３１のみを敷設するようにしても構わない。
【００１９】
次に、図３において、この間仕切体１Ａの開閉要領を説明する。
なお、図面上、パネル上面の破線は、第一の走行体４Ａ及び第二の走行体４Ｂの支持部材４２がパネルの上面長手方向に移動可能となる範囲を示す。
【００２０】
図３（ａ）は、第一のパネル２Ａ及び第二のパネル２Ｂが、壁面Ｗから離れた閉鎖位置にある状態を示す。
そして、第一のパネル２Ａをレール３の斜めレール３１側に揺動させながら、第二のパネル２Ｂの端部（第一のパネル２Ａと連結していない竪枠２２側。以下、「移動端」という。）に配設した第二の走行体４Ｂをレール３の閉鎖部レール３０の案内溝３ａによって案内させながら図例右側に移動させる。
【００２１】
第二のパネル２Ｂの移動端が、斜めレール３１の始点Ａに到達した後は、枢軸７を揺動中心にして、第二のパネル２Ｂを矢付方向に揺動させ（図３（ｂ）の実線参照）、次いで、枢軸６を揺動中心にして、第一のパネル２Ａに第二のパネル２Ｂが接した状態のままで揺動させ、第一のパネル２Ａ及び第二のパネル２Ｂが壁面Ｗに沿った開放位置で開放を終了する。
【００２２】
この場合、図３（ｂ）の二点鎖線で示すように、先に第二のパネル２Ｂを第一のパネル２Ａに接するまで移動させるのではなく、第一のパネル２Ａを先に壁面Ｗに沿わせてから、第二のパネル２Ｂを第一のパネル２Ａに接するまで移動させるようにしても構わない。
【００２３】
これによって、第一のパネル２Ａは、第一のパネル２Ａの上面長手方向に移動可能に配設した第一の走行体４Ａによって、レール３に沿って安定した状態で開放操作を行うことができ、第一のパネル２Ａ及び第二のパネル２Ｂを閉鎖位置から直角に移動した開放位置に移動させることができる。
【００２４】
そして、上記要領とは逆方向に第一のパネル２Ａ及び第二のパネル２Ｂを移動させることによって壁面Ｗから離れた閉鎖位置に戻すことができる。
【実施例２】
【００２５】
図４〜図６に、本発明の可動式の間仕切体の第２実施例を示す。
この可動式の間仕切体１Ｂは、レール３の斜めレール３１の途中において主レール３１’と副レール３２とに分岐させ、第二の走行体４Ｂを副レール３２に導く誘導機構８を配設するようにしたものである。
【００２６】
誘導機構８は、第二のパネル２Ｂに配設した第二の走行体４Ｂを副レール３２に導くための機構であり、特に限定されるものではないが、本実施例においては、図５に示すように、第二の走行体４Ｂの本体部分４０の上部に配設したガイド部８ａと、このガイド部８ａにのみ当接するガイド板８ｂとから構成する。
【００２７】
ガイド部８ａは、棒状の連結部４２ａを突出するだけで構成しても構わないが、第二の走行体４Ｂを副レール３２側に円滑に移動するように、ベアリング等の回動部材によって構成することが好ましい。
【００２８】
ガイド板８ｂは、第一の走行体４Ａとは当接することなく、第二の走行体４Ｂの上部に配設したガイド部８ａのみが当接するように、レール３の内天面に配設し、斜めレール３１の主レール３１’と副レール３２との分岐個所で、第二の走行体４Ｂを副レール３２側に誘導するようにしている。
【００２９】
また、第一の走行体４Ａは、第一のパネル２Ａが移動の際に加わる力の方向が、図５（ｂ）に示す、斜めレール３１の左側の側壁方向となるため、通常の開放作業では副レール３２側に移動することはない。
なお、誘導機構８とは別に、第一の走行体４Ａの連結部４２ａの外径を第二の走行体４Ｂの連結部４２ａの外径より大きくし、副レール３２の案内溝３ａには突出するように一方又は両方の下面３ｂに抑止体を配設することにより、副レール３２側への入り口部分の隙間を狭め、第二の走行体４Ｂの連結部４２ａの通過は許容するも、第一の走行体４Ａの連結部４２ａの通過を阻止するようにすることができる。
これによって、第一の走行体４Ａの連結部４２ａは、抑止体に阻まれて、副レール３２側に進入することはない。
また、第一の走行体４Ａの本体部分４０の外径を、第二の走行体４Ｂの本体部分４０の外径よりも大きくするとともに、副レール３２の側壁間を第二の走行体４Ｂの本体部分４ｂの進入は許容するも、第一の走行体４Ａの本体部分４０の進入は阻止する幅とすることによって、第一の走行体４Ａが副レール３２側に移動するのを防止することもできる。
【００３０】
次に、図６において、この間仕切体１Ｂの開閉要領を説明する。
なお、第１実施例と同様、図面上、パネル上面の破線は、第一の走行体４Ａ及び第二の走行体４Ｂの支持部材４２がパネルの上面長手方向に移動可能となる範囲を示す。
【００３１】
図６（ａ）は、第一のパネル２Ａ及び第二のパネル２Ｂが、壁面Ｗから離れた閉鎖位置にある状態を示す。
そして、第一のパネル２Ａをレール３の斜めレール３１側に揺動させながら、第二のパネル２Ｂの移動端に配設した第二の走行体４Ｂをレール３の閉鎖部レール３０の案内溝３ａによって案内させながら図例右側に移動させる。
【００３２】
第二のパネル２Ｂの移動端が、レール３の斜めレール３１の始点Ａに到達した後、斜めレール３１の主レール３１’と副レール３２との分岐点Ｂに至るまでは、第１実施例と同様に、第一の走行体４Ａは、主レール３１’を移動し、第二の走行体４Ｂは、斜めレール３１を移動する。
【００３３】
そして、第二の走行体４Ｂが分岐点Ｂに到達したとき、誘導機構８によって、第二の走行体４Ｂが副レール３２に誘導され、第一のパネル２Ａ及び第二のパネル２Ｂが壁面Ｗに沿った開放位置まで移動し開放を終了する（図６（ｂ）〜図６（ｃ）参照）。
【００３４】
これによって、第二の走行体４Ｂは、副レール３２に沿って走行し、開放位置において、枢軸７から離れた場所に位置させて第二のパネル２Ｂを支持することができるから、第二のパネル２Ｂの重量によって第二のパネル２Ｂがたわむこともない。
【００３５】
この場合、第二の走行体４Ｂをパネル上面長手方向に移動させないように、図６（ｃ）の開放位置で第二の走行体４Ｂが位置する場所に固定して第二のパネル２Ｂに配設することもできる。
これによって、第二のパネル２Ｂに配設する第二の走行体４Ｂの支持部分４２は、移動部４２ｂを配設する必要がない。
【００３６】
そして、上記要領とは逆方向に第一のパネル２Ａ及び第二のパネル２Ｂを移動させることによって壁面Ｗから離れた閉鎖位置に戻すことができる。
【００３７】
なお、本実施例のその他の構成及び作用は、上記第１実施例と同様である。
【００３８】
以上、本発明の間仕切体について、その実施例に基づいて説明したが、本発明は上記実施例に記載した構成に限定されるものではなく、例えば、第二のパネル２Ｂに枢軸を介して揺動可能に第三のパネルを配設する等、その趣旨を逸脱しない範囲において適宜その構成を変更することができるものである。
【産業上の利用可能性】
【００３９】
本発明の間仕切体は、間仕切体を構成するパネルの開閉操作を円滑に行うことができるとともに、パネルを支持するレールの構造を簡易に構成することができることから、開閉操作に慣れていない作業者でも容易に開閉する必要がある、例えば、学校用の可動式の間仕切体等の用途に好適に用いることができる。
【図面の簡単な説明】
【００４０】
【図１】本発明の間仕切体の第１実施例を示す斜視図である。
【図２】同間仕切体に使用する走行体の説明図で、（ａ）は正面図、（ｂ）は（ａ）のＸ−Ｘ断面図である。
【図３】同間仕切体の開閉要領を説明する概略図で、（ａ）は閉鎖位置にある状態を（ｂ）は開放途中を、（ｃ）は開放位置にある状態を示す。
【図４】本発明の間仕切体の第２実施例を示す斜視図である。
【図５】同間仕切体に使用する誘導機構の説明図で、（ａ）は図４のＹ−Ｙ断面図を、（ｂ）は（ａ）のＺ−Ｚ断面図である。
【図６】同間仕切体の開閉要領を説明する概略図で、（ａ）は閉鎖位置にある状態を（ｂ）は開放途中を、（ｃ）は開放位置にある状態を示す。
【符号の説明】
【００４１】
１Ａ  間仕切体
１Ｂ  間仕切体
２Ａ  第一のパネル
２Ｂ  第二のパネル
３    レール
３ａ  案内溝
３０  閉鎖部レール
３１  斜めレール
３１’主レール
３２  副レール
４Ａ  第一の走行体
４Ｂ  第二の走行体
５    走行体用レール
６    枢軸
７    枢軸
８    誘導機構
Ｃ    天井面
【要約】
【課題】間仕切体を構成するパネルの開閉操作を円滑に行うことができるとともに、パネルを支持するレールの構造を簡易に構成することができる可動式の間仕切体を提供すること。
【解決手段】天井面Ｃに敷設されたレール３と、レール３に案内される走行体４を介して支持するようにしたパネルとからなる間仕切体において、パネルを、一端側を枢軸６を介して揺動可能に配設した第一のパネル２Ａと、第一のパネル２Ａの他端側に枢軸７を介して揺動可能に配設した第二のパネル２Ｂとから構成し、第一のパネル２Ａを第一の走行体４Ａにより支持するとともに、第一の走行体４Ａによる支持部分が第一のパネル２Ａの上面長手方向に移動可能となるようにし、かつ、レール３が、少なくとも、第一のパネル２Ａが閉鎖位置にあるときの第一の走行体４Ａの位置と、第一のパネル２Ａが開放位置にあるときの第一の走行体４Ａの位置とを結ぶ直線状の部分を備える。
【選択図】図１【図１】
0004095114.tif 000002
【図２】
0004095114.tif 000003
【図３】
0004095114.tif 000004
【図４】
0004095114.tif 000005
【図５】
0004095114.tif 000006
【図６】
0004095114.tif 000007